(57)【要約】【課題】門扉又はフェンスに貫通した貫通孔のうち表裏両側又はいずれかの開口端の外観が損なわれないように塞ぎ処理することができる門扉又はフェンス等の貫通孔塞ぎ構造を提供することをその課題とする。【解決手段】門扉（又はフェンス）本体の表裏方向に貫通した取付孔７、８、９の表裏いずれか一方の開口端から塞ぎ部材１０を挿入して取付孔７、８、９の中途部に係合させ、他方の開口端からビス１１を挿入し、このビス１１を上記塞ぎ部材１０に形成したビス孔１６に螺合して締め付け固定することを特徴とする。【選択図】図５
2006233685.tif 000002
【特許請求の範囲】
【請求項１】
門扉又はフェンス本体の表裏方向に貫通した取付孔の表裏いずれか一方の開口端から塞ぎ部材を挿入して取付孔の中途部に係合させ、他方の開口端からビスを挿入し、このビスを上記塞ぎ部材に形成したビス孔に螺合して締め付け固定することを特徴とする門扉又はフェンス等のビス孔塞ぎ構造。
【請求項２】
前記取付孔の一部とこれに対応する前記塞ぎ部材の一部は非円形に形成されていることを特徴とする、請求項１記載の門扉又はフェンス等のビス孔塞ぎ構造。
【発明の詳細な説明】
【技術分野】
【０００１】
本発明は、門扉又はフェンス本体の表裏方向に貫通したビス孔が使用されない場合の開口端はもちろん、使用された場合にもその反対側に露出した開口端を体裁よく処理することができる、門扉又はフェンス等のビス孔塞ぎ構造に関するものである。
【背景技術】
【０００２】
一般に、鋳物製の門扉やフェンスには予めビス孔が形成されている。例えば門扉では、落し錠や戸当りを取り付けるためのビス孔が形成されており、施工現場で上記ビス孔を利用して落し錠や戸当りを取り付けている。
【０００３】
ところで、１対の門柱に２枚の門扉を取り付ける場合、落し錠のケースや戸当りは門扉の開き勝手に従って表側（道路側）からみて右側に取り付けられたり左側に取り付けられたりするほか、門扉自体も右側に配置されたり、左側に配置されたりするので、ビス孔は両門扉の表裏方向に貫通して形成されている。このため、使用されないビス孔はそのまま残ることになる。それだけでなく、落し錠のケースや戸当りなどの付属部材を門扉の裏側（敷地側）にビス止めすると、ビス孔の表側は開口状態のままとなる。いずれの場合も表側にはビス孔の開口端が露出してしまう。
【０００４】
このため、従来は使用されないビス孔や使用されても反対側に露出したままのビス孔の開口端に捨てビスを螺合して外観が損なわれないようにしていた。
【特許文献１】特開平１０−２８０７７５号公報
【発明の開示】
【発明が解決しようとする課題】
【０００５】
しかしながら、このような対応でも、ビス孔にはビス頭が露出することになる。鋳物製のフェンスや門扉は高価格なので、十字溝などの係合溝が形成されたビス頭が露出するのは外観上は好ましくない。
【０００６】
本発明は上記問題点を解消し、門扉又はフェンスに貫通した貫通孔のうち表裏両側又はいずれかの開口端の外観が損なわれないように塞ぎ処理することができる門扉又はフェンス等の貫通孔塞ぎ構造を提供することをその課題とする。
【課題を解決するための手段】
【０００７】
前記課題を解決するため、請求項１に係る発明は、門扉又はフェンス本体の表裏方向に貫通した取付孔の表裏いずれか一方の開口端から塞ぎ部材を挿入して取付孔の中途部に係合させ、他方の開口端からビスを挿入し、このビスを上記塞ぎ部材に形成したビス孔に螺合して締め付け固定することを特徴とする。
【０００８】
請求項２に係る発明は、前記取付孔の一部とこれに対応する前記塞ぎ部材の一部は非円形に形成されていることを特徴とする。
【発明の効果】
【０００９】
請求項１に係る発明によれば、取付孔の表裏いずれか一方の開口端から塞ぎ部材を挿入して取付孔の中途部に係合させ、他方の開口端からビスを挿入し、このビスを上記塞ぎ部材に形成したビス孔に螺合して締め付け固定するものであるから、塞ぎ部材の外部に露出する面にはネジ頭の係合溝のようなものがないので、外観が向上する。もちろん、上記ビスによって門扉やフェンスの付属部材を固定することができる。
【００１０】
請求項２に係る発明によれば、取付孔の一部とこれに対応する塞ぎ部材の一部は非円形に形成されているから、螺合作業のときに塞ぎ部材が回ることがなく、作業を迅速に行なうことができる。
【発明を実施するための最良の形態】
【００１１】
図１は門の内観図、図２はその外観図、図３は図１の落し錠部分の拡大図、図４は図３のＸ−Ｘ線上の断面図であり、図５は要部の分解斜視図である。
【００１２】
図１および図２は両開き門扉を示すもので、符号１は門柱、２ａ、２ｂは門扉を示す。この門扉２ａ、２ｂは鋳物製で、その吊元側は門柱１に対してヒンジ金具３を介して回動自在に支持されている。戸先側には把手・錠・鍵を設けた台座４と戸当り板５と落し錠ユニット６が設けられている。
【００１３】
上記両門扉２ａ、２ｂの戸先側の中央部と下端部には取付孔７、８、９が表裏方向に貫通形成されている。これらの取付孔７、８、９は落し錠ユニット６を取り付けるためのもので、門扉２ａ、２ｂの開き勝手に応じて落し錠ユニット６を取り付ける側の門扉が決まる。例えば、図１および図２の両開き門扉は、表側（道路側）からみて右側の門扉２ａを内側（敷地側、裏側）に開く右勝手内開き門扉であるが、この方式では、表側からみて左側の門扉２ｂは通常は落し棒により開閉できないようにしておき、右側の門扉２ａを内側に開閉して出入りするようになっている。したがって、図３〜図５に示されるように、落し錠ユニット６は上記左側の門扉２ｂの戸先側の取付孔７、８、９を利用し、塞ぎ部材１０とビス１１とによって取り付けられている。
【００１４】
すなわち、落し錠ユニット６は上端ブロック１３ａと下端ブロック１３ｂとの間に落し棒１４の収納部１５を設けたもので、落し棒１４は収納部１５の内部を上下に摺動できるように構成されている。１２は落し棒14の操作摘みである。
【００１５】
塞ぎ部材１０は円形の頭部１０ａの裏側に角柱形の挿入部１０ｂを形成したもので、挿入部１０ｂの端部にはビス孔１６が開口形成されている。また、塞ぎ部材１０は取付孔７、８、９の中央まで嵌合するように設定されている。
【００１６】
取付孔７は、両端が浅い円形状凹部７ａと、その中心に形成された角筒状の筒孔７ｂとから構成されている。上記凹部７ａは塞ぎ部材１０の頭部を嵌合可能な大きさに、また筒孔７ｂは塞ぎ部材１０の挿入部１０ｂの外形と略同じ大きさに形成されている。なお、筒孔７ｂは両端よりも中央側がやや小さくなるように形成されている。他の取付孔８、９も同じである。
【００１７】
落し錠ユニット６は、その上端ブロック１３ａと下端ブロック１３ｂとを門扉２ａの取付孔７、８、９を利用して固定されている。上端ブロック１３ａを取り付けるにあたっては、上端ブロック１３ａの孔１７からビス１１を貫通し、さらにビス１１の軸部を取付孔７の裏側から挿通し、取付孔７の表側からは塞ぎ部材１０を嵌合する。塞ぎ部材１０は頭部１０ａが円形状凹部７ａに係合して浮いた状態となる。そこで、上記ビス１１を塞ぎ部材１０のビス孔１６に螺合させて締め付け固定すればよい。取付孔７の筒孔７ｂは角筒状であり、塞ぎ部材１０の挿入部１０ｂも角柱状であるから、螺合作業のときに塞ぎ部材１０が回ることがなく、作業を迅速に行なうことができる。
【００１８】
下端ブロック１３ｂを取付孔８、９に取り付けるときも同じ要領で行なえばよい。
【００１９】
また、落し錠ユニット６を取り付けない方の門扉２ｂに形成された使用されない取付孔７については、図４の左側に示すように、取付孔７の裏側から挿通したビス１１の軸部を表側から嵌合させた塞ぎ部材１０のビス孔１６に螺合すればよい。取付孔８、９についても同様にすればよい。
【００２０】
上述のように、取付孔７、８、９の一方の開口端から塞ぎ部材１０を挿入し、他方の開口端からビス１１を挿入し、このビス１１を塞ぎ部材１０のビス孔１６に螺合して締め付け固定するものであり、塞ぎ部材１０の表側に露出する面にはビス頭の係合溝のようなものがないので、外観が良好である。
【００２１】
なお、取付孔７、８、９の一部とこれに対応する塞ぎ部材の一部は非円形に形成されているのが好ましい。螺合作業のときに塞ぎ部材が回ることがなく、作業を迅速に行なうことができるようにするためである。
【００２２】
また、前記取付孔７（８、９）は図６に示されるように、両端が大きく、中心側が狭い角錐台又は円錐台状に形成してもよい。塞ぎ部材１０は取付孔７（８、９）の形状に応じて角錐台又は円錐台状に形成すればよい。
【００２３】
なお、上述の例は門扉に関するものであるが、フェンスの場合にも同様に構成することができる。例えば、フェンスには、間柱式フェンスと自在柱式フェンスがあるが、フェンス本体にはどちらにも対応できるように予め取付孔を開けておき、採用されなかった方の取付孔をビスと塞ぎ部材とによって隠すことができる。
【図面の簡単な説明】
【００２４】
【図１】門の内観図である。
【図２】門の外観図である。
【図３】図１の落し錠ユニット部分の拡大図である。
【図４】図３のＸ−Ｘ線上の断面図である。
【図５】要部の分解斜視図である。
【図６】取付孔の他の例を示す断面図である。
【符号の説明】
【００２５】
２ａ、２ｂ  門扉
７、８、９  取付孔
１０  塞ぎ部材
１１  ビス
１６  ビス孔
【図１】
2006233685.tif 000003
【図２】
2006233685.tif 000004
【図３】
2006233685.tif 000005
【図４】
2006233685.tif 000006
【図５】
2006233685.tif 000007
【図６】
2006233685.tif 000008